(57)【要約】  【課題】引き込み型締結具を設置するための自己整合式工具を提供する。  【解決手段】引き込み型締結具、例えばリベットレスナット板を設置するための引き込みヘッドである。この引き込みヘッドは、スリーブと、このスリーブ上のノーズピースと、このノーズピースから延びたインサートとを備える。インサートは、ワークピースの開口内に進入して、引き込みヘッドを開口の中心に置く。インサートは、ノーズピースに対して移動可能であって、開口への進入を容易にするためのテーパを一端に有することが好ましい。この引き込みヘッドは、ステムまたは締結具を把持して引き込むジョーを有する。インサートは、ステムまたは締結具が引き込まれるときに、ステムまたは締結具の表面がインサートに接触して、インサートがステムまたは締結具と共に引き込まれるようにする。そのようにして、インサートは、開口内で開始するが、ステムまたは締結具が引き込まれて設置を果たすときに、開口から引き出される。【選択図】図３
2006130567.tif 000002
【特許請求の範囲】
【請求項１】
締結具を設置するための引き込みヘッドであって、設置ツールと係合するように構成されたスリーブと、このスリーブの端部に係合するノーズピースと、このノーズピースの開口部から延びたインサートとを備え、前記インサートは、ワークピースの開口内に進入して、引き込みヘッドを開口の中心に置くように構成されていることを特徴とする引き込みヘッド。
【請求項２】
インサートは、ノーズピースに対して移動可能であることを特徴とする請求項１に記載の引き込みヘッド。
【請求項３】
インサートは、開口への進入を容易にするためのテーパを一端に有することを特徴とする請求項１に記載の引き込みヘッド。
【請求項４】
ステムまたは締結具を把持して引き込むように構成された内部ジョーを更に備えることを特徴とする請求項１に記載の引き込みヘッド。
【請求項５】
インサートは、ステムまたは締結具が引き込まれるときに、ステムまたは締結具の表面がインサートに接触すると共にインサートがステムまたは締結具と共に引き込まれるように構成されていることを特徴とする請求項４に記載の引き込みヘッド。
【請求項６】
引き込みヘッドは、インサートが開口内で開始するように構成され、ステムまたは締結具が引き込まれて設置を果たすときに、インサートは開口から引き出されることを特徴とする請求項５に記載の引き込みヘッド。
【請求項７】
インサート内に配設されたスプリングとノーズとを更に備え、ノーズはインサートの開口部を通って延びると共にインサートに対して移動可能であり、これによりスプリングを圧縮することを特徴とする請求項１に記載の引き込みヘッド。
【請求項８】
ノーズは、ステムまたは締結具と係合可能であり、また引き込みヘッドは、ステムまたは締結具を把持して引き込むように構成された内部ジョーを更に備えることを特徴とする請求項７に記載の引き込みヘッド。
【請求項９】
ノーズは、ステムまたは締結具と共に引き込まれるように構成され、これによりスプリングを圧縮することを特徴とする請求項８に記載の引き込みヘッド。
【請求項１０】
インサートは、ステムまたは締結具が更に引き込まれるときに、ノーズがインサートに対して完全に後退させられた状態になるように構成され、その後インサートはステムまたは締結具およびノーズと共に引き込まれることを特徴とする請求項８に記載の引き込みヘッド。
【請求項１１】
ワークピースの開口が大きすぎるか否かを検出するように構成された検知要素を引き込みヘッドの外面上に更に備えることを特徴とする請求項１に記載の引き込みヘッド。
【請求項１２】
検知要素は、引き込みヘッドのインサートの円筒形突起の外径上に配設されていることを特徴とする請求項１１に記載の引き込みヘッド。
【請求項１３】
ワークピースの開口が大きすぎるか否かを検出するように構成された検知要素を引き込みヘッドの外面上に更に備え、この検知要素は、引き込みヘッドのノーズの円筒形突起の外径上に配設されていることを特徴とする請求項７に記載の引き込みヘッド。
【請求項１４】
検知要素は、引き込みヘッドの外面内に収容された複数のボールを備えることを特徴とする請求項１１に記載の引き込みヘッド。
【請求項１５】
ボールは、スプリングを介して引き込みヘッドの外面上に保持され、これにより最大許容穴サイズに等しい外径を形成することを特徴とする請求項１４に記載の引き込みヘッド。
【請求項１６】
引き込みヘッドは、前記検知要素に関連した警告信号を発生するように構成されていることを特徴とする請求項１１に記載の引き込みヘッド。
【請求項１７】
コレットと、スプリングと、スプリングインサートアセンブリとを更に備え、前記コレット、スプリング、およびスプリングインサートアセンブリはスリーブ内に配設されていることを特徴とする請求項１に記載の引き込みヘッド。
【請求項１８】
１組のクランプ用ジョーと、ジョーフォロワーと、第２のスプリングとを更に備え、これらジョー、ジョーフォロワーおよび第２のスプリングはコレット内に配設されていることを特徴とする請求項１７に記載の引き込みヘッド。
【請求項１９】
コレットの内面は、設置ツールのヘッドピストン上に螺合するためのネジ部を有することを特徴とする請求項１８に記載の引き込みヘッド。
【請求項２０】
スリーブの外面は、引き込みツールのヘッドシリンダ内に螺入するための外ネジ部を有することを特徴とする請求項１９に記載の引き込みヘッド。
【発明の詳細な説明】
【技術分野】
【０００１】
［関連出願（優先権主張）］
この出願は、２００４年１１月４日に出願された米国仮出願第６０／６２５，１５２号の利益を主張する。
【０００２】
この発明は一般に、引き込み型締結具を設置するための工具に関し、特には自己整合式特徴を有するような工具に関する。
【背景技術】
【０００３】
引き込み型締結具を設置するための工具は、業界では標準的である。そのような工具には、リベッターおよび他の工具がある。これらは、締結具に引き込み力を与えながら、ワークピースに保持または隣接力を与え、これによりワークピースに対して締結具を設置するものである。典型的に、そのような工具は握られて、手で操作されるか液圧で動かされる。そのような応用に対して使用される典型的な工具には、ピストンに加える引き込み力を発生するシリンダがある。このピストンは、引き込み力を締結具に伝達する引き込みヘッドと係合可能である。現在業界で利用可能なそのような工具の例には、テクストロン・エアロスペース・ファスナーのＧ７５０ＡハンドリベッターおよびＧ７０４Ｂパワーツールがある。両者は、特別な応用に依存した複数の引き込みヘッドと良好に作用するように構成されている。
【０００４】
図１は、典型的な引き込みツールの前部１０と、典型的な引き込みヘッド１２の部品とを示している。図示のように、引き込みヘッド１２は、概ね円筒形でその内部にチャンバ１６を有したスリーブ１４を備える。チャンバ１６の内部には、コレット１８と、ジョー２０と、ジョーフォロワー２２と、バンパー２４と、スプリング２６とが配設されている。スリーブ１４の外面２８は、ロックナット３２を受けると共に引き込みツールの前部１０にあるヘッドシリンダ３４に螺入するためのネジ部３０を有する。これに対し、コレット１８の内面３６は、引き込みツールの前部１０にあるヘッドピストン４０上に螺合するためのネジ部３８を有する。使用時に引き込みツールが作動すると、ヘッドピストン４０はヘッドシリンダ３４に対して後方に移動し、コレット１８はスリーブ１４に対して後方に移動し、ジョー２０はマンドレルまたは締結具をクランプして引き込む。この構造および用法は通常のものであって、業界では幅広く知られている。
【０００５】
リベットレスナット板もまた業界では標準的であって、典型的には流体タンク、例えば航空機等の燃料タンクや水タンクに関連して使用され、締結具を受けるための浮動ネジ付きリセプタクルを与える。あるリベットレスナット板は、引き込み型ツールを使用して設置を行うように設計されている。例えば、ＵＳ２００３／００９１４０８（２００２年１０月１７日出願の米国特許出願第１０／２７２，７２１号の公開公報）は、リベットレスナット板を開示している。ここでは、保持器または取付スリーブ（本願の図中参照符号５０で識別されている）が、ワークピース（本願の図中参照符号５４で識別されている）の開口（本願の図中で参照符号５２で識別されている）内に配置されている。また、ステム（本願の図中参照符号５８で識別されている）の拡大ヘッド部分（本願の図中参照符号５６で識別されている）は、取付スリーブ内に配設されている。続いて、引き込みツール（例えば図１に示されているように前部１０を有するもの）が使用されてステムを引き込み、ステムのヘッド部分は取付スリーブの筒状部分を通って引き込まれる。この結果、筒状部分は拡張してワークピース内の開口の側壁に係合する（図５〜７に順に示されているように、並びに図１０〜１２に順に示されているように）。
【０００６】
典型的に、引き込みツールを使用して設置されるリベットレスナット板は、図１に示されるような引き込みヘッド１２を使用して設置される。この引き込みヘッドは、設置中にワークピース５４に対し面一に保持され得る平坦な表面を有する。この平坦な表面は、設置がワークピース５４の表面に直交して起こることを確実にする。ツールの平坦な表面がワークピースに対し接触して保持されている間に、引き込みヘッド１２は、ワークピース５４の穴５２に挿入されて、アラインメントを助ける。そのように、適正な設置は、引き込みヘッド１２が穴５２内に適正に位置決めされることを確実にするオペレータの能力に依存する。しばしば起こることは、引き込みツールがワークピースに押し付けられ、そして引き込みヘッド１２が穴５４の一方の側に押し付けられるということである（穴の中心に置かれるのではなく）。そのように、設置は穴の中心からずれた状態で起こる。現在、幅広く利用可能な引き込みヘッドの設計は、リベットレスナット板を穴に関して整列させる手段のみならず、穿孔された穴の質を測定するための手段をも有しない。オペレータが引き込みツールを適切に整列するための時間をとる場合でさえも、リベットレスナット板と穿孔された穴とのアラインメントに関する不確定性は、穿孔された穴の質に関する不確定性と同様に残る。
【０００７】
リベットレスナット板の設置は、ワークピースの開口が精密であることを必要とする。ワークピースの表面に直交した穴（即ち、開口）を穿孔することの難しさは、その穴に対してリベットレスナット板を挿入、整列および設置することの難しさと組み合わされて、しばしば設置の質に不利に影響する。精密な穴を穿孔してから、その穴にリベットレスナット板を適正に整列させることは、薄いワークピースが必要とされる状況や、接近が制限されている状況（即ち、狭い作業スペース内）、またワークピースの開口が横長である状況や、開口を囲む構造体の一部が設置中に破けている状況では、特に難しい。一般に、リベットレスナット板のような締結具が不十分に設置されると、その締結具の機械的特性は、不利に影響される。それ故、リベットレスナット板のような締結具を、開口内へ設置するために、適正に整列させることは重要である。
【発明の開示】
【発明が解決しようとする課題】
【０００８】
本発明の実施形態の１つの目的は、リベットレスナット板のような引き込み型締結具を設置するための自己整合式工具を提供することにある。
【０００９】
本発明の実施形態のもう１つの目的は、最小のオペレータ関与で、リベットレスナット板のような引き込み型締結具を効果的に整列させて設置することに使用できる工具を提供することにある。
【課題を解決するための手段】
【００１０】
簡単に、そして前述した目的の少なくとも１つに従って、本発明の一実施形態は、リベットレスナット板のような引き込み型締結具を設置するための引き込みヘッドを提供する。この引き込みヘッドは、設置ツールまたは引き込みツールと係合可能である。このツールは、スリーブと、このスリーブの端部上のノーズピースと、このノーズピースの開口部から延びたインサートとを有する。インサートは、ワークピースの開口内に進入して、引き込みヘッドを開口の中心に置くように構成されている。インサートは、ノーズピースに対して移動可能であり、そして開口への進入を容易にするためのテーパを一端に有することが好ましい。引き込みヘッドは、ステムまたは締結具を把持して引き込むように構成されたジョーを備える。インサートは、ステムまたは締結具が引き込まれるときに、ステムまたは締結具の表面がインサートに接触すると共にインサートがステムまたは締結具と共に引き込まれるように構成されている。そのようにして、インサートは、開口内で開始するが、ステムまたは締結具が引き込まれて設置を果たすときに、開口から引き出される。
【００１１】
代替例として、引き込みツールは、インサート内に配設されたスプリングとノーズとを備えることもできる。この場合、ノーズはインサートの開口部を通って延びると共にインサートに対して移動可能であり、これによりスプリングを圧縮する。ノーズは、例えばリベットレスナット板と係合可能であり、またジョーは、ステムまたは締結具を把持して引き込むように構成されている。ノーズは、ステムまたは締結具と共に引き込まれるように構成され、これによりスプリングを圧縮する。インサートは、ステムまたは締結具が更に引き込まれるときに、ノーズがインサートに対して完全に後退させられた状態になるように構成され、その後インサートはステムまたは締結具およびノーズと共に引き込まれる。
【００１２】
この発明の構造および動作の組織および手法は、その更なる目的および利点と共に、添付の図面に関連してなされる以下の説明を参照することによって、最も良く理解される。図面では、同様の参照符号は同様の要素を識別している。
【発明を実施するための最良の形態】
【００１３】
本発明は、異なる形の実施形態に受け入れ可能であるが、その実施形態が図面に示され、ここで詳細に説明される。但し、この説明は、発明の原理の例示と考えられるべきものであって、この発明を、ここに図示され、説明されたものに制限することを意図したものではない、と理解されるべきである。
【００１４】
図２は本発明の一実施形態に係る引き込みヘッド１００を示している。これに対し、図８は本発明の他の実施形態に係る引き込みヘッド１００ａを示している。引き込みヘッド１００，１００ａは、両方とも引き込みツールと共に使用されて、リベットレスナット板のような引き込み型締結具を設置するように構成されている。両者は、最小のオペレータ関与で、ワークピースの開口に整列するように構成されている。
【００１５】
図２〜７に示されているように、引き込みヘッド１００は、スリーブ１０２と、このスリーブ１０２の端部１０８にあるネジ穴１０６に螺合されるノーズピース１０４とを有する。スリーブ１０２は概ね円筒形で、チャンバ１１０を有する。スリーブ１０２のチャンバ１１０内には、コレット１１２と、スプリング１１４と、スプリングインサートアセンブリ１１６とが配設されている。コレット１１２は概ね円筒形で、貫通孔１１８を有する。１組のクランプ用ジョー１２０と、ジョーフォロワー１２２と、スプリング１２３とがコレット１１２内に配設されている。コレット１１２の内面１２４は、引き込みツール（図１参照）のヘッドピストン４０上に螺合するためのネジ部１２６を有する。スリーブ１０２の外面１２８は、引き込みツール（図１参照）のヘッドシリンダ３４内に螺入するための外ネジ１３０を有する。この場合、引き込みツールは、ヘッドピストン４０をヘッドシリンダ３４に対し前後に駆動するように構成されている。ナット１３２がスリーブ１０２のネジ部１３０上に設けられて、引き込みヘッド１００と引き込みツールを一緒に効果的に固定している。
【００１６】
スプリングインサートアセンブリ１１６は、インサート１４０を有する。このインサートは、概ね円筒形で、中央貫通孔１４２を有する。インサート１４０の端部１４４は、以下で更に十分に説明されるように、ワークピース５４の穴５２に係合するように構成されたテーパ１４６を有することが好ましい。インサート１４０は、スリーブ１０２の内面１５４と係合するように構成されたベース部分１５２だけでなく、ノーズピース１０４の内面１５０と係合するように構成された肩部１４８を有する。そのようにして、インサート１４０は、概ねノーズピース１０４およびスリーブ１０２内に保持される。
【００１７】
キャップ１５６は、インサート１４０の端部１５８付近で、好ましくは螺合または圧入のいずれかによって、インサート１４０と係合する。ノーズ１６０がインサート１４０内に配設されている。このノーズは、概ね円筒形で、中央貫通孔１６２を有する。ノーズ１６０は、肩部１６６を有する。この肩部はインサート１４０に設けられた内側肩部１６４と係合し、ノーズ１６０は概ねインサート１４０内に保持される。スプリング１６８が、インサート１４０内の概ねノーズ１６０とキャップ１５６の間に設けられている。
【００１８】
引き込みヘッド１００を組み立てるために、先ずスプリングインサートアセンブリ１１６が組み立てられる。スプリングインサートアセンブリ１１６を組み立てるために、ノーズ１６０がインサート１４０に挿入され、次いでスプリング１６８が挿入される。続いて、キャップ１５６が螺合または圧入によってインサート１４０と係合される。スプリングインサートアセンブリ１１６が組み立てられたら、スプリングインサートアセンブリ１１６はノーズ１６０を先頭にしてスリーブ１０２に挿入される。それから、スプリング１１４が、スプリングインサートアセンブリ１１６の背後に位置決めされ、さらにコレット１１２がスプリング１１４に押し付けられる。それから組立は、他の通常の引き込みヘッドでのように継続され、ジョー１２０およびジョーフォロワー１２２はコレット１１２に挿入され、そしてコレット１１２とスリーブ１０２は引き込みツール（図１参照）と係合される。
【００１９】
その後、使用時に、引き込みツールは締結具設置用に準備されている穴５２の上に位置決めされ、そしてノーズ１６０は穴５２を通って延ばされ、また引き込みツールはワークピース５４に押し付けられる。引き込みツールがワークピース５４に押し付けられると、ワークピース５４の穴５２はインサート１４０上のテーパ１４６と直面し、穴５２はテーパ１４６に沿って上流側に移動する。このテーパ１４６の働きで、引き込みヘッド１００は穴５２に対して同心円的に整列する。それから、参照によりその全体がここに組み入れられるＵＳ２００３／００９１４０８（２００２年１０月１７日出願の米国特許出願第１０／２７２，７２１号の公開公報）に開示されているリベットレスナット板のような組み立てられたリベットレスナット板のマンドレル１５８は、突出しているノーズ１６０（図５参照）に挿入され、そしてリベットレスナット板のスリーブ５０は、ノーズ１６０に堅く押し付けられる。堅い押し付けは、リベットレスナット板がノーズ１６０の端部に適合（フィット）することを確実にする。ノーズ１６０の回りに適合することによって、リベットレスナット板は引き込みヘッド１００および穴５２に対し同心円的になる。ノーズ１６０の貫通孔１６２およびノーズ１６０の端部１８０は、リベットレスナット板のマンドレル５８および取付スリーブ５０の構造とそれぞれ一致するように設けられていることが好ましい。この場合、引き込みヘッド１００のノーズ１６０は、リベットレスナット板の取付スリーブ５０およびマンドレル５８と良好に適合する（即ち、マンドレル５８はノーズ１６０と良好に適合し、リベットレスナット板の取付スリーブ５０はノーズ１６０上に良好に適合する）。
【００２０】
引き込みツールが作動されると、マンドレル５８は引き込まれる。具体的には、コレット１１２が引き戻され、そしてマンドレル５８がコレット１１２と共に引き戻されるときに、ジョー１２０はマンドレル５８上にロックする。初めに、インサート１４０は後方に移動しない。その代わりに、スプリング１１４による圧縮の結果、インサート１４０はスリーブ１０２の内面１５０と面一に接触保持されている。ノーズ１６０は最初に、スプリング１６８に抗して、スプリングインサートアセンブリ１１６内を後退する。ノーズ１６０の内部構造は、マンドレルのベース１８２（図６参照）と相互作用して、穴５２の中心を通ってリベットナット板を案内することに役立つ。ノーズ１６０は、内部スプリング１６８が完全に圧縮されるまで後退する。ノーズ１６０が完全に後退させられるときに、リベットレスナット板の保持器５０は、図６に示されるように穴５２の表面にある。コレット１１２は、圧縮されたスプリング１６８が弛緩してインサート１４０を開放することを可能にするのに十分な遠くまで後退させられている。設置は、従来と同様に、その後も継続する。マンドレル５８は、保持器５２を通って引き込まれ、図７に示されるように、保持器をワークピース５４内に拡張して設置を完了する。この結果、オペレータの技能に依存しない自己整合された設置が得られる。
【００２１】
図８〜１２に示されている引き込みヘッド１００ａは、先に説明された引き込みヘッド１００と非常に良く似ている。従って、同様の参照符号は同様の部分を識別することに使用される。引き込みヘッド１００ａは、スプリングインサートアセンブリ１１６およびスプリング１１４を有する代わりに、引き込みヘッド１００ａがインサート１４０ａを有するようにする（スプリング１１４，１６８および端部キャップ１５６は有しない）。この実施形態は、先の実施形態によって与えられたスプリング作用と空動きを欠くが、インサート１４０ａは依然としてワークピース５４の穴５２に関する心出し機能を与える。引き込みヘッド１００のインサート１４０と同様に、引き込みヘッド１００ａのインサート１４０ａもまたテーパ１４６ａを有することが好ましい。
【００２２】
引き込みヘッド１００ａを組み立てるために、インサート１４０ａとコレット１１２がスリーブ１０２内に挿入される。それから組立は、他の通常の引き込みヘッドでのように継続され、ジョー１２０、ジョーフォロワー１２２およびスプリング１２３はコレット１１２に挿入され、そしてコレット１１２とスリーブ１０２は引き込みツールと係合される。
【００２３】
その後、使用時に、引き込みツールは締結具設置用に準備されている穴の上に位置決めされ、そしてインサート１４０ａの端部１９０は穴５２（図１０参照）を通って延ばされ、また引き込みツールはワークピース５４に押し付けられる。引き込みツールがワークピースに押し付けられると、ワークピース５４の穴５２はインサート１４０ａ上のテーパ１４６ａと直面し、穴はテーパ１４６ａに沿って上流側に移動する。このテーパ１４６ａの働きで、引き込みヘッド１００ａは穴５２に対して同心円的に整列する。それから、組み立てられたリベットレスナット板のマンドレル５６（またはマンドレルではない他の締結具）は、インサート１４０ａに挿入され、そしてリベットレスナット板は、インサート１４０ａの端部１９０に堅く押し付けられる。堅い押し付けは、リベットレスナット板がインサート１４０ａの端部１９０に適合することを確実にする。インサート１４０ａの端部１９０の回りに適合することによって、リベットレスナット板は引き込みヘッド１００ａおよび穴５２に対し同心円的になる。インサート１４０ａは、リベットレスナット板の構造と一致するように設けられていることが好ましい。この場合、マンドレル５６はインサート１４０ａと良好に適合し、またリベットレスナット板の取付スリーブ５０は、インサート１４０ａの端部１９０と良好に適合する。
【００２４】
引き込みツールが作動されると、マンドレル５６は引き込まれる。具体的には、コレット１１２が引き戻され、そしてマンドレル５６がコレット１１２と共に引き戻されるときに、ジョー１２０はマンドレル５６上にロックする。マンドレル５６は、それと共にインサート１４０ａを後方に引き込む（図１１参照）。インサート１４０ａの内部構造は、マンドレルのベースと相互作用して、穴５２の中心を通ってリベットナット板を案内することに役立つ。マンドレル５６は、保持器５０を通って引き込まれ、図１２に示されるように、保持器のローブをワークピース５４内に拡張して設置を完了する。この結果、オペレータの技能に依存しない自己整合された設置が得られる。
【００２５】
引き込みヘッド１００，１００ａはいずれも、リベットレスナット板を薄い構造体に設置する業界の問題に対して新規な解決法を提供する。現在使用されている設置工具は、あまりにも多くの受け入れがたい設置を生じさせる結果となる引き込みヘッドを使用する。受け入れがたい設置は、穴を囲む構造体を設置中に破いたり噛んだりする。
【００２６】
図２〜１２に示された上述した引き込みヘッドは、引き込みツールが、それ自体を穴に整列させ、締結具を穴に整列させ、そして不十分な品質の穿孔された穴（即ち、過小サイズまたは過大サイズの穴）への設置を認識し、必要であれば、禁止することを可能にする。第１に、引き込みヘッドの先端に傾斜したテーパを加えると、設置中に引き込みツールが構造体に対して堅く保持されていなくとも、設置中に構造体の穴を引き込みヘッドに同心円的に案内する。
【００２７】
第２に、ノーズまたはインサートの部分は、設置に先立って穴から突出するように構成されていることが好ましい。この突出部は、リベットレスナット板や他の一般的な引き込み型締結具が引き込みツールの中心に整列されることを確実にする。突出部は、内部湾曲構造を先端に持つ円筒である。この先端構造は、リベットレスナット板の取付スリーブとリベットレスナット板のマンドレルとの間に適合することが可能である。これは、設置中にリベットレスナット板を設置工具に対して整列された状態に保つためである。
【００２８】
第３に、円筒形突出部は、最小または最大穴サイズの要求が設置前に達成されていることを証明することに役立つ。穴サイズが小さ過ぎる場合、円筒形突出部は穴に嵌入せずに、設置を妨げる。図１３〜１６に示されるように、（引き込みヘッド１００のノーズ１６０または引き込みヘッド１００ａのインサート１４０ａのような）円筒形突出部２０３の外径２０２上への検知要素２００の追加は、穴サイズが大き過ぎることを検出することに役立つ。検知要素２００は、円筒形突出部２０３の外径内に等間隔で収容された２以上の小さな球状ボール２０４で構成され得る。図１４に示されるように、球状ボール２０４は、弛緩されたスプリング２０６によって円筒形突出部２０３の表面２０５上に保持される。これは、最大許容可能な穴サイズと等しい外径（即ち、寸法２０８）を形成するためである。図１５に示されるように、圧力が球状ボール２０４に加えられると、スプリング２０６は検知要素２００を圧縮する。かくして、検知要素２００は、図１６に示されるようにワークピース５４の穴５２が過大サイズでない限り、設置中に活性になる。検知要素２００が活性にならない場合は、警告信号が（矢印２１０によって表されるように）オペレータに送られることが好ましい。この信号は、例えば明るい赤色光や、設置ツールのトリガの解放を防止する設置ロックである。
【００２９】
本発明の実施形態がここに図示され、説明されているが、開示の精神及び範囲を逸脱すること無しに、当業者が本発明の種々の変形例を工夫することは想像される。
【図面の簡単な説明】
【００３０】
【図１】従来の引き込みヘッドの分解断面図および引き込みツールの前部の断面図である。
【図２】本発明の一実施形態に係る引き込みヘッドの断面図である。
【図３】図２に示された引き込みヘッドの部品のいくつかの分解図である。
【図４】図３に示されたスプリングインサートアセンブリの分解図である。
【図５】リベットレスナット板を設置する図２及び３の引き込みヘッドのシーケンス図である。
【図６】リベットレスナット板を設置する図２及び３の引き込みヘッドのシーケンス図である。
【図７】リベットレスナット板を設置する図２及び３の引き込みヘッドのシーケンス図である。
【図８】本発明の他の実施形態に係る引き込みヘッドの断面図である。
【図９】図８に示された引き込みヘッドの部品のいくつかの分解図である。
【図１０】リベットレスナット板を設置する図８の引き込みヘッドのシーケンス図である。
【図１１】リベットレスナット板を設置する図８の引き込みヘッドのシーケンス図である。
【図１２】リベットレスナット板を設置する図８の引き込みヘッドのシーケンス図である。
【図１３】図２または８に示された引き込みヘッドのいずれか１つのような引き込みヘッドと関連して使用され得る検知機構の分解図である。
【図１４】図１３に示された検知機構の断面図である。
【図１５】開口が正しいサイズであるときの検知機構を示す。
【図１６】開口が大きすぎるときの検知機構を示す。
【符号の説明】
【００３１】
５２：穴
５４：ワークピース
５６，５８：マンドレル
１００，１００ａ：引き込みヘッド
１０２：スリーブ
１０４：ノーズピース
１１２：コレット
１１４：スプリング
１１６：スプリングインサートアセンブリ
１２０：クランプ用ジョー
１２２：ジョーフォロワー
１２３：スプリング
１４０，１４０ａ：インサート
１４６，１４６ａ：テーパ
１６０：ノーズ
２００：検知要素
【図１】
2006130567.tif 000003
【図２】
2006130567.tif 000004
【図３】
2006130567.tif 000005
【図４】
2006130567.tif 000006
【図５】
2006130567.tif 000007
【図６】
2006130567.tif 000008
【図７】
2006130567.tif 000009
【図８】
2006130567.tif 000010
【図９】
2006130567.tif 000011
【図１０】
2006130567.tif 000012
【図１１】
2006130567.tif 000013
【図１２】
2006130567.tif 000014
【図１３】
2006130567.tif 000015
【図１４】
2006130567.tif 000016
【図１５】
2006130567.tif 000017
【図１６】
2006130567.tif 000018